(57)【特許請求の範囲】
【請求項１】
両端に終端抵抗を有し、途中部に一対のトランシーバーを備えた高速データ転送体の前記トランシーバー間の部分を、ＬＡＮ機器接続用ＡＵＩケーブルのコネクタ部に設けたことを特徴とするＬＡＮ機器直結ケーブル。
【請求項２】
両端に終端抵抗を有し、途中部に一対のトランシーバーを備えた高速データ転送体の前記トランシーバー間の部分を、ＬＡＮ機器接続用ＡＵＩケーブルのいずれか一部に介在させたことを特徴とするＬＡＮ機器直結ケーブル。
【発明の詳細な説明】
【０００１】
【発明の属する技術分野】
本発明は、ＬＡＮ（Ｌｏｃａｌ  Ａｒｅａ  Ｎｅｔｗｏｒｋ）内のコンピュータ同士や、ＷＡＮ（Ｗｉｄｅ  Ａｒｅａ  Ｎｅｔｗｏｒｋ）におけるルータ同士などのＬＡＮ機器同士を直結するケーブルに係り、特に、シリアルケーブル程度に取扱いや接続が簡単であり、かつ、１０ＢＡＳＥ−５等のＬＡＮ用ケーブル程度にデータ転送速度が速いＬＡＮ機器の直結ケーブルに関する。
【０００２】
【従来の技術】
最近はコンピュータ技術と通信技術の向上により、複数のコンピュータをネットワークによって接続し、互いに情報を交換しながら情報処理を行うことにより、全体として高効率の処理を行うＬＡＮやＷＡＮが広く使用されるようになった。
【０００３】
上記ＬＡＮやＷＡＮにおける情報処理機器（コンピュータやルータを含み、ここではＬＡＮ機器という）は互いにデータをやり取り可能に接続されるが、２つのＬＡＮ機器を直結する接続方式としてはシリアルケーブル方式、ＬＡＮ方式、ＭＰＴ（Ｍｕｌｔｉ  Ｐｏｒｔ  Ｔｒａｎｓｃｅｉｖｅｒ）方式の３種が従来からあった。
【０００４】
図３  に、上記シリアルケーブル方式、ＬＡＮ方式、ＭＰＴ方式を示す。
【０００５】
このうち、図３（ａ）は、シリアルケーブル方式による接続を示していている。シリアルケーブル方式による接続とは、図３（ａ）  に示すように、シリアルケーブル２０によって一対のルータＲ１  とＲ２  を直接接続するものである。
【０００６】
この方式によるＬＡＮ機器の接続によれば、情報はシリアルケーブル２０を介してルータ間でやり取りされる。シリアルケーブル２０は、複芯構造を有しており、データは各芯線ごとに独立に伝達される。
【０００７】
このシリアルケーブル２０は、任意の長さにすることができ、かつ、その両端のコネクター２０ａ，２０ｂをルータＲ１  とＲ２  のシリアルポートの接続口に差し込めば接続することができる。
【０００８】
したがって、本シリアルケーブル方式によれば、ケーブルの接続等の取扱いが簡単であり、かつ、必要最小限の長さのケーブルを敷設すればよいので、ケーブルの占有空間がきわめて少ないという利点を得ることができる。
【０００９】
また、通常ＬＡＮ機器の接続の信頼性は、その接点数（外れる可能性がある接続点の数をいう）が少ないほど高いと考えられているが、シリアルケーブル方式によるＬＡＮ機器の接続は、ＬＡＮ機器とシリアルケーブルとの接点が図３（ａ）  に示すように、点ａと点ｂの２点だけである。このため、シリアルケーブル方式のＬＡＮ機器の接続は、信頼性の面でも最大限の信頼性を有しているということができる。
【００１０】
しかし、シリアルケーブル方式によるＬＡＮ機器の接続では、データ転送速度が遅いという欠点がある。通常のシリアルケーブルのデータ転送速度は、１９２Ｋｂｐｓ（Ｋｉｌｏ  Ｂｉｔ  ｐｅｒ  ｓｅｃｏｎｄ）  程度である。
【００１１】
これに対して図３（ｂ）は、ＬＡＮ方式によるＬＡＮ機器の接続を示していている。
【００１２】
ＬＡＮ方式による接続では、ＬＡＮ用ケーブル２１の所定の位置にトランシーバー２２，２３を取り付け、これらのトランシーバーとルータＲ１  ，Ｒ２  とを、ＡＵＩケーブル２４，２５によってそれぞれ接続する。
【００１３】
ＬＡＮ用ケーブル２１は、１０Ｍｂｐｓ（Ｍｅｇａ  Ｂｉｔ  ｐｅｒ  ｓｅｃｏｎｄ）  の高速でデータを転送することができる。
【００１４】
しかし、ＬＡＮ用ケーブル２１は、１０Ｍｂｐｓの高速でデータを送る場合の終端反射波の干渉を防止するために、工事上の慣行として５０ｍの整数倍に切断され、５０ｍ〜５００ｍの長さを有する。
【００１５】
このため、ＬＡＮ用ケーブルは、必要長さが５０ｍに満たない場合でも、余剰のケーブルを床下等の空間に収納しなければならなかった。
【００１６】
また、上記ＬＡＮ用ケーブル２１トランシーバー２２，２３を取り付けたり、あるいはケーブルを分岐させたりする場合には、接続のための工事を必要とした。
【００１７】
図４に示すように、１０ＢＡＳＥ−５のＬＡＮ用ケーブル２１は、中心に芯線２６、その周囲に絶縁体２７、その外側にメッシュ状の導線２８、さらにその外側に絶縁被覆２９が設けられている構造となっている。
【００１８】
このＬＡＮ用ケーブル２１にトランシーバーを接続するには、図４  に示すように芯線２６と芯線２６’、メッシュ状導線２８と導体２８’とを互いに絶縁した状態でそれぞれ接続する必要がある。
【００１９】
このため、誰もが必要な時に簡単に接続できるものではなかった。
【００２０】
また、上記ＬＡＮ方式の接続では、図３（ｂ）  の接続状態にて、全体でｃ１  〜ｃ６  の６接点を有し、信頼性が低下する。なお、トランシーバー２２，２３の本体と、ＡＵＩケーブル２４，２５がそれぞれ一体となり、Ｃ１  ，Ｃ３  の接点をなくすようにした方式もある。ただし、この場合でも全体で４接点を有することになる。
【００２１】
最後にＭＰＴ方式の接続について説明する。
ＭＰＴ方式の接続は、ＬＡＮ方式の欠点を克服するために開発されたものであって、終点反射波の影響を抵抗等によってなくし、仮想的に５０ｍの整数倍の長さのＬＡＮ用ケーブルを実現したマルチポートトランシーバー３０を用いる。マルチポートトランシーバー３０は、本体に複数のポート（接続口）３１を有し、さらにトランシーバー機能を備えている。
【００２２】
ＭＰＴ方式の接続では、上記マルチポートトランシーバー３０をたとえばフロアの一部に設置し、接続すべきルータＲ１  ，Ｒ２  とマルチポートトランシーバー３０とをＡＵＩケーブル３２，３３によって接続する。
【００２３】
この方法によれば、マルチポートトランシーバー３０内では１０Ｍｂｐｓの速さでデータを転送でき、かつ、ＬＡＮ用ケーブルに比して冗長なケーブルを収納する空間を必要としない。さらに、図３（ｃ）  の接続状態で全体としてｄ１  〜ｄ４  の４つの接点を有し、シリアルケーブル方式に比して信頼性は劣るが、ＬＡＮ方式の接続に比して信頼性が高い。
【００２４】
なお、ここで注意しなければならないのは、ＡＵＩケーブルは１０Ｍｂｐｓの速さでデータを転送できるが、規格上ＬＡＮ機器間を直結することはできない。
【００２５】
【発明が解決しようとする課題】
しかしながら、上記いずれの接続方式によっても２つのＬＡＮ機器を直接接続するのは不便であった。このような２つのＬＡＮ機器を直接接続ことは、ＷＡＮやＬＡＮ環境ではしばしば必要となる。
【００２６】
たとえば、３局ＷＡＮ構成では、図５に示すような３局構成をとっているのが一般的である。これは、ノードおよび回線の一重障害に対してもデータ通信の経路を確保できるようにするためである。
【００２７】
図５に示すように、３  局構成を採るＡ店とＢ店とＣ店では、Ａ，Ｂ，Ｃの各店はそれぞれ２つのルータＲを備え、それらのルータを介して他の２店と接続している。
【００２８】
この３局構成によれば、たとえばＡ店とＣ店との間の第一経路３４に障害が発生したとすると、Ａ店は第二経路３５、すなわちＢ店を介してＣ店にデータを転送することができる。
【００２９】
この場合、Ｂ店内のデータ転送経路としては、Ｂ店内のＬＡＮ３６を利用することも可能であるが、通常はＢ店内の閉じた通信に影響を与えないように、Ｂ店の両ルータをケーブル３７によって接続し、このケーブル３７をデータ転送経路として使用する。
【００３０】
このルータ間のケーブルの接続は、一対のＬＡＮ機器間の接続となるが、接続方式としては従来は上記シリアルケーブル方式、ＬＡＮ方式、ＭＰＴ方式のいずれかによらなければならなかった。
【００３１】
しかし、シリアルケーブル方式の接続を用いた場合は、ケーブルの収納空間は少なく、かつ、接続も容易という利点はあるが、データ転送速度が遅くなるという欠点があった。
【００３２】
一方、上記ルータ間の接続にＬＡＮ方式の接続を採用した場合は、データ転送速度が速いという利点があるが、２つのルータを接続するために５０ｍ〜５００ｍものＬＡＮ用ケーブルを敷設しなければならない欠点があった。また、そのための接続作業も容易ではなかった。
【００３３】
また、上記ルータ間の接続にＭＰＴ方式の接続を採用した場合は、データ転送速度が速く、かつ、接続が簡単である利点はあるが、機器の価格が高いことと、多数のポートのうち２つしか利用できないこと等の欠点があった。
【００３４】
このように、従来のＬＡＮ機器の接続方式では、いずれも完全ではなかった。また、上記ＷＡＮの場合に限らず、一対のＬＡＮ機器を接続する必要性は高いため、この目的に適した接続方法あるいは接続手段の開発が待たれていた。
【００３５】
そこで、本発明が解決しようとする課題は、データ転送速度が速く、接続や収納が容易であり、かつ、信頼性が高いＬＡＮ機器直結ケーブルを提供することにある。
【００３６】
【課題を解決するための手段】
本願請求項１に係るＬＡＮ機器直結ケーブルは、両端に終端抵抗を有し、途中部に一対のトランシーバーを備えた高速データ転送体の前記トランシーバー間の部分を、ＬＡＮ機器接続用ＡＵＩケーブルのコネクタ部に設けたことを特徴とするものである。
【００３７】
本願請求項２に係るＬＡＮ機器直結ケーブルは、
両端に終端抵抗を有し、途中部に一対のトランシーバーを備えた高速データ転送体の前記トランシーバー間の部分を、ＬＡＮ機器接続用ＡＵＩケーブルのいずれか一部に介在させたことを特徴とするものである。
【００３９】
【発明の実施の形態】
次に本発明の一実施形態について以下に説明する。
図１は、本発明によるＬＡＮ機器直結ケーブルの一実施形態を示している。
【００４０】
図１において、ＬＡＮ機器直結ケーブル１は、両端にＬＡＮ機器（この実施形態では２つのルータ２，３）に接続するコネクタ部４，５を有している。
【００４１】
コネクタ部４は、ルータ２のＬＡＮポートと接続可能な複数ピン構造のコネクタ６を有している。このコネクタ６からケーブル本体を通ってコネクタ部５へ、ＡＵＩケーブルと同様の複数芯線７が延設されている。
【００４２】
コネクタ部５には、ルータ３のＬＡＮポートと接続可能なコネクタ８と、このコネクタ８に接続されたＡＵＩケーブルと同様の複数芯線９と、両端に終端抵抗１０ａ  ，１０ｂ  を備えた高速データ転送体１１とが内蔵されている。
【００４３】
上記高速データ転送体１１上には、一対のトランシーバー１２ａ  ，１２ｂ  が設けられており、これらトランシーバー１２ａ  ，１２ｂ  には上記複数芯線７，９の他端が接続されている。
【００４４】
上記高速データ転送体１１は、ＬＡＮ用ケーブルと同様、１０Ｍｂｐｓの速さで情報を転送することができる。高速データ転送体１１の両端に備えられた終端抵抗１０ａ  ，１０ｂ  は、高周波で情報を送る場合の終端反射波の影響を打ち消し、これによって、高速データ転送体１１は、極めて短い長さによって仮想的に５０ｍの整数倍の長さのＬＡＮ用ケーブルと同等の機能を実現している。
【００４５】
トランシーバー１２ａ  ，１２ｂ  は、複数芯線７，９によって転送された信号を、高速周波数の信号に変換し、あるいは逆に、高速データ転送体１１によって転送された信号を複数芯線７，９用の信号に変換する。
【００４６】
上記高速データ転送体１１とトランシーバー１２ａ  ，１２ｂは構造が簡単であるため、これらを収納したコネクタ部５は、実際には通常のケーブルコネクタに比べて若干大きくなる程度で済む。
【００４７】
上記ＬＡＮ機器直結ケーブル１によれば、２つのＬＡＮ機器間のデータの転送は、高速データ転送体１１によって転送されるので、１０Ｍｂｐｓの速度で行うことができる。
【００４８】
また、ＡＵＩケーブル（複数芯線７）の部分で長さを調節することができるので、両ルータ２，３間の距離に見合った必要十分の長さとすることができる。このため、ＬＡＮ用ケーブルのように５０ｍの整数倍の長さのケーブルを収納する必要がない。また、ＭＰＴ方式のように、無駄になるポートがなく、低廉な価格とあいまって効率がよい設備投資を行うことができる。
【００４９】
また、コネクタ部５が通常のケーブルコネクタに比して多少大きいが、シリアルケーブルと同様に両端のコネクタ部４，５をＬＡＮ機器のＬＡＮポートに挿入すれば、簡単にＬＡＮ機器を接続することができる。したがって、接続のために特別な工事を必要としない。
【００５０】
さらに、このＬＡＮ機器直結ケーブル１によれば、コネクタ部５内の高速データ転送体１１の周辺の接点は極めて信頼性が高いので、脱落可能な接点数としては図１に示す点ｍ，ｎの２点に限られるので、接点数の面で信頼性が高い接続を得ることができる。
【００５１】
上記実施形態では、ＬＡＮ機器直結ケーブル１の一端のコネクタ部に高速データ転送体１１を設けているが、本願発明は、両ＬＡＮ機器を接続するＡＵＩケーブルのいずれか一部に上記高速データ転送を行う高速データ転送体を設けていればよい。この思想に沿って以下にその一変形例について説明する。
【００５２】
図２は、高速のデータ転送を行う高速データ転送体をＡＵＩケーブルの途中に設けた例を示している。
【００５３】
図２のＬＡＮ機器直結ケーブル１３は、通常のＡＵＩケーブル１４の途中に高速データ転送体収納部１５を介在させて接続している。高速データ転送体収納部１５の内部には、図１を用いて既に説明した実施形態と同様に、両端に終端抵抗１６ａ  ，１６ｂ  を備えた高速データ転送体１７が設けられている。この高速データ転送体１７上には、一対のトランシーバー１８ａ  ，１８ｂ  が設けられており、このトランシーバー１８ａ  ，１８ｂ  にＡＵＩケーブル１４の芯線が接続されている。
【００５４】
このＬＡＮ機器直結ケーブル１３による作用・効果は、上記実施形態の高速データ転送体１１と全く同一であるので、詳しい説明を省略するが、高速のデータ転送を行うことができ、ケーブルの取扱い・収納・接続作業が極めて簡単であり、かつ、信頼性が高い接続を得ることができることを述べておく。
【００５５】
【発明の効果】
以上の説明から明らかなように、本発明によるＬＡＮ機器直結ケーブルは、ＬＡＮ機器同士を接続するＡＵＩケーブルの一部に、高速データ転送体を介在させて接続している。この高速データ転送体は、両端に終端抵抗を有し、短い長さによって仮想的に５０ｍの整数倍の長さのＬＡＮ用ケーブルと同等の高速データ転送性能を発揮するように構成されている。
【００５６】
したがって、本発明のＬＡＮ機器直結ケーブルによれば、両ＬＡＮ機器間で高速でデータ転送でき、かつ、ケーブルの取扱い・収納・接続作業が極めて簡単になる。また、ＭＰＴ方式のように高価な設備投資を要することもない。これにより、一対のＬＡＮ機器を直結するのに極めて好都合な直結ケーブルを提供することができる。
【図面の簡単な説明】
【図１】一方のコネクタ部に高速データ転送体を設けた本発明によるＬＡＮ機器直結ケーブルを概念的に示した構成図。
【図２】ＡＵＩケーブルの途中部に高速データ転送体を設けた本発明によるＬＡＮ機器直結ケーブルを概念的に示した構成図。
【図３】従来のＬＡＮ機器の接続方式を概念的に示した構成図。
【図４】ＬＡＮ用ケーブルの接続部の構成を示した一部断面図。
【図５】３局構成を採るＷＡＮにおいて、通信経路の一重障害が生じた場合の通信経路を概念的に示した説明図。
【符号の説明】
１  ＬＡＮ機器直結ケーブル
２  ルータ
３  ルータ
４  コネクタ部
５  コネクタ部
６  コネクタ
７  複数芯線
８  コネクタ
９  複数芯線
１０ａ    終端抵抗
１０ｂ    終端抵抗
１１  高速データ転送体
１２ａ    トランシーバー
１２ｂ    トランシーバー
１３  ＬＡＮ機器直結ケーブル
１４  ＡＵＩケーブル
１５  高速データ転送体収納部
１６ａ    終端抵抗
１６ｂ    終端抵抗
１７  高速データ転送体
１８ａ    トランシーバー
１８ｂ    トランシーバー
【図１】
0003602260.tif 000002
【図２】
0003602260.tif 000003
【図３】
0003602260.tif 000004
【図４】
0003602260.tif 000005
【図５】
0003602260.tif 000006